(57)【特許請求の範囲】
【請求項１】
無線端末と、該無線端末と相互に異なる周波数で無線回線を設定して通信を行う複数の無線基地局とを備える無線通信システムであって、
前記複数の無線基地局は、１フレーム中に含まれる複数の制御信号用タイムスロットを用いて、制御信号を送信する制御信号送信手段を備え、
前記無線端末は、
前記複数の無線基地局から送信される制御信号を受信する受信タイムスロットを、前記複数の制御信号用タイムスロットの中から決定する受信タイムスロット決定手段と、
該受信タイムスロット決定手段が決定した受信タイムスロットで、前記制御信号を受信する制御信号受信手段と、
前記制御信号用タイムスロット以外の上り通信信号用タイムスロットを用いて、前記無線基地局にデータを含む通信信号を送信する通信信号送信手段とを備え、
前記受信タイムスロット決定手段は、前記無線端末が通信を行っている無線基地局からの通信中基地局制御信号を送信する通信中基地局制御信号用タイムスロットの中から、受信タイムスロットを決定する際に、
少なくとも１つの前記通信中基地局制御信号用タイムスロットが、前記上り通信信号用タイムスロットよりも早い場合には、該上り通信信号用タイムスロットよりも早い通信中基地局制御信号用タイムスロットの中で、前記通信中基地局制御信号用タイムスロットと前記上り通信信号用タイムスロットとの時間差が最も小さい通信中基地局制御信号用タイムスロットを、通信中基地局制御信号を受信する受信タイムスロットとして決定し、
全ての前記通信中基地局制御信号用タイムスロットが、前記上り通信信号用タイムスロットよりも遅い場合には、前記通信中基地局制御信号用タイムスロットと前記上り通信信号用タイムスロットとの時間差が最も大きい通信中基地局制御信号用タイムスロットを、通信中基地局制御信号を受信する受信タイムスロットとして決定することを特徴とする無線通信システム。
【請求項２】
無線端末と、該無線端末と相互に異なる周波数で無線回線を設定して通信を行う複数の無線基地局とを備える無線通信システムであって、
前記複数の無線基地局は、１フレーム中に含まれる複数の制御信号用タイムスロットを用いて、制御信号を送信する制御信号送信手段を備え、
前記無線端末は、
前記複数の無線基地局から送信される制御信号を受信する受信タイムスロットを、前記複数の制御信号用タイムスロットの中から決定する受信タイムスロット決定手段と、
該受信タイムスロット決定手段が決定した受信タイムスロットで、前記制御信号を受信する制御信号受信手段と、
前記制御信号用タイムスロット以外の上り通信信号用タイムスロットを用いて、前記無線基地局にデータを含む通信信号を送信する通信信号送信手段とを備え、
前記受信タイムスロット決定手段は、前記無線端末が通信を行っていない無線基地局からの非通信中基地局制御信号を送信する非通信中基地局制御信号用タイムスロットの中から、受信タイムスロットを決定する際に、
少なくとも１つの前記非通信中基地局制御信号用タイムスロットが、前記上り通信信号用タイムスロットよりも遅い場合には、該上り通信信号用タイムスロットよりも遅い非通信中基地局制御信号用タイムスロットの中で、前記非通信中基地局制御信号用タイムスロットと前記上り通信信号用タイムスロットとの時間差が最も小さい非通信中基地局制御信号用タイムスロットを、非通信中基地局制御信号を受信する受信タイムスロットとして決定し、
全ての前記非通信中基地局制御信号用タイムスロットが、前記上り通信信号用タイムスロットよりも早い場合には、前記非通信中基地局制御信号用タイムスロットと前記上り通信信号用タイムスロットとの時間差が最も大きい非通信中基地局制御信号用タイムスロットを、非通信中基地局制御信号を受信する受信タイムスロットとして決定することを特徴とする無線通信システム。
【請求項３】
前記制御信号用タイムスロットを決定する送信タイムスロット決定手段を備え、
前記制御信号送信手段は、前記送信タイムスロット決定手段が決定した制御信号用タイムスロットで、前記制御信号を送信することを特徴とする請求項１又は２に記載の無線通信システム。
【請求項４】
前記送信タイムスロット決定手段は、前記上り通信信号用タイムスロットと各タイムスロットとの時間差に基づいて、前記制御信号用タイムスロットを決定することを特徴とする請求項３に記載の無線通信システム。
【請求項５】
前記無線端末が前記複数の無線基地局から前記制御信号を受信する必要があるか否かを判断する判断手段を備え、
前記制御信号送信手段は、前記判断手段による判断結果に基づいて、１フレーム中に含まれる複数の制御信号用タイムスロットを用いた前記制御信号の送信と、１フレーム中に含まれる１つの制御信号用タイムスロットを用いた前記制御信号の送信とを切り替えることを特徴とする請求項１乃至４のいずれか１項に記載の無線通信システム。
【請求項６】
無線端末と、該無線端末と相互に異なる周波数で無線回線を設定して通信を行う複数の無線基地局とを備える無線通信システムであって、
前記無線端末が前記無線基地局とデータを含む通信信号の送受信を行う通信信号用タイムスロットに、前記無線端末が通信を行っていない無線基地局からの非通信中基地局制御信号の送信に用いられる非通信中基地局制御信号用タイムスロット以外のタイムスロットを、優先的に割り当てる割り当て手段を備えることを特徴とする無線通信システム。
【請求項７】
前記割り当て手段は、前記通信信号用タイムスロットに、前記非通信中基地局制御信号用タイムスロット以外のタイムスロットを割り当てることができない場合、前記通信信号用タイムスロットに、前記非通信中基地局制御信号用タイムスロットを割り当て、
前記無線端末が前記非通信中基地局制御信号を受信する際に、前記通信信号用タイムスロットを、前記非通信中基地局制御信号用タイムスロット以外のタイムスロットに切り替えることを特徴とする請求項６に記載の無線通信システム。
【請求項８】
無線端末と、該無線端末と相互に異なる周波数で無線回線を設定して通信を行う複数の無線基地局とを備える無線通信システムにおいて用いられる無線端末であって、
前記複数の無線基地局から、１フレーム中に含まれる複数の制御信号用タイムスロットを用いて送信される制御信号を受信する受信タイムスロットを、前記複数の制御信号用タイムスロットの中から決定する受信タイムスロット決定手段と、
該受信タイムスロット決定手段が決定した受信タイムスロットで、前記制御信号を受信する制御信号受信手段と、
前記制御信号用タイムスロット以外の上り通信信号用タイムスロットを用いて、前記無線基地局にデータを含む通信信号を送信する通信信号送信手段とを備え、
前記受信タイムスロット決定手段は、前記無線端末が通信を行っている無線基地局からの通信中基地局制御信号を送信する通信中基地局制御信号用タイムスロットの中から、受信タイムスロットを決定する際に、
少なくとも１つの前記通信中基地局制御信号用タイムスロットが、前記上り通信信号用タイムスロットよりも早い場合には、該上り通信信号用タイムスロットよりも早い通信中基地局制御信号用タイムスロットの中で、前記通信中基地局制御信号用タイムスロットと前記上り通信信号用タイムスロットとの時間差が最も小さい通信中基地局制御信号用タイムスロットを、通信中基地局制御信号を受信する受信タイムスロットとして決定し、
全ての前記通信中基地局制御信号用タイムスロットが、前記上り通信信号用タイムスロットよりも遅い場合には、前記通信中基地局制御信号用タイムスロットと前記上り通信信号用タイムスロットとの時間差が最も大きい通信中基地局制御信号用タイムスロットを、通信中基地局制御信号を受信する受信タイムスロットとして決定することを特徴とする無線端末。
【請求項９】
無線端末と、該無線端末と相互に異なる周波数で無線回線を設定して通信を行う複数の無線基地局とを備える無線通信システムにおいて用いられる無線端末であって、
前記複数の無線基地局から、１フレーム中に含まれる複数の制御信号用タイムスロットを用いて送信される制御信号を受信する受信タイムスロットを、前記複数の制御信号用タイムスロットの中から決定する受信タイムスロット決定手段と、
該受信タイムスロット決定手段が決定した受信タイムスロットで、前記制御信号を受信する制御信号受信手段と、
前記制御信号用タイムスロット以外の上り通信信号用タイムスロットを用いて、前記無線基地局にデータを含む通信信号を送信する通信信号送信手段とを備え、
前記受信タイムスロット決定手段は、前記無線端末が通信を行っていない無線基地局からの非通信中基地局制御信号を送信する非通信中基地局制御信号用タイムスロットの中から、受信タイムスロットを決定する際に、
少なくとも１つの前記非通信中基地局制御信号用タイムスロットが、前記上り通信信号用タイムスロットよりも遅い場合には、該上り通信信号用タイムスロットよりも遅い非通信中基地局制御信号用タイムスロットの中で、前記非通信中基地局制御信号用タイムスロットと前記上り通信信号用タイムスロットとの時間差が最も小さい非通信中基地局制御信号用タイムスロットを、非通信中基地局制御信号を受信する受信タイムスロットとして決定し、
全ての前記非通信中基地局制御信号用タイムスロットが、前記上り通信信号用タイムスロットよりも早い場合には、前記非通信中基地局制御信号用タイムスロットと前記上り通信信号用タイムスロットとの時間差が最も大きい非通信中基地局制御信号用タイムスロットを、非通信中基地局制御信号を受信する受信タイムスロットとして決定することを特徴とする無線端末。
【請求項１０】
無線端末と、該無線端末と相互に異なる周波数で無線回線を設定して通信を行う複数の無線基地局とを備える無線通信システムにおいて、前記通信を制御する制御装置であって、
前記複数の無線基地局に、１フレーム中に含まれる複数の制御信号用タイムスロット用いて制御信号を送信させるための前記制御信号用タイムスロットを決定する送信タイムスロット決定手段と、
該送信タイムスロット決定手段による決定結果に基づいて、前記無線基地局の制御信号の送信を制御する基地局制御手段と、
前記無線端末が前記複数の無線基地局から前記制御信号を受信する必要があるか否かを判断する判断手段とを備え、
前記基地局制御手段は、前記判断手段による判断結果に基づいて、１フレーム中に含まれる複数の制御信号用タイムスロットを用いた前記制御信号の送信と、１フレーム中に含まれる１つの制御信号用タイムスロットを用いた前記制御信号の送信との切り替えを制御することを特徴とする制御装置。
【請求項１１】
無線端末と、該無線端末と相互に異なる周波数で無線回線を設定して通信を行う複数の無線基地局とを備える無線通信システムにおいて、前記通信を制御する制御装置であって、
前記無線端末が、前記無線基地局とデータを含む通信信号の送受信を行う通信信号用タイムスロットに、前記無線端末が通信を行っていない無線基地局からの非通信中基地局制御信号の送信に用いられる非通信中基地局制御信号用タイムスロット以外のタイムスロットを、優先的に割り当てる割り当て手段を備えることを特徴とする制御装置。
【請求項１２】
前記割り当て手段は、前記通信信号用タイムスロットに、前記非通信中基地局制御信号用タイムスロット以外のタイムスロットを割り当てることができない場合、前記通信信号用タイムスロットとして、前記非通信中基地局制御信号用タイムスロットを割り当て、
前記無線端末が前記非通信中基地局制御信号を受信する際に、前記通信信号用タイムスロットを、前記非通信中基地局制御信号用タイムスロット以外のタイムスロットに切り替えることを特徴とする請求項１１に記載の制御装置。
【請求項１３】
無線端末と、該無線端末と相互に異なる周波数で無線回線を設定して通信を行う複数の無線基地局とを備える無線通信システムを用いた通信方法であって、
前記複数の無線基地局が、１フレーム中に含まれる複数の制御信号用タイムスロットを用いて、制御信号を送信するステップと、
前記無線端末が、前記複数の無線基地局から送信される制御信号を受信する受信タイムスロットを、前記複数の制御信号用タイムスロットの中から決定するステップと、
該決定した受信タイムスロットで、前記制御信号を受信するステップと
前記制御信号用タイムスロット以外の上り通信信号用タイムスロットを用いて、前記無線基地局にデータを含む通信信号を送信するステップとを有し、
前記受信タイムスロットを決定するステップでは、前記無線端末が通信を行っている無線基地局からの通信中基地局制御信号を送信する通信中基地局制御信号用タイムスロットの中から、受信タイムスロットを決定する際に、
少なくとも１つの前記通信中基地局制御信号用タイムスロットが、前記上り通信信号用タイムスロットよりも早い場合には、該上り通信信号用タイムスロットよりも早い通信中基地局制御信号用タイムスロットの中で、前記通信中基地局制御信号用タイムスロットと前記上り通信信号用タイムスロットとの時間差が最も小さい通信中基地局制御信号用タイムスロットを、通信中基地局制御信号を受信する受信タイムスロットとして決定し、
全ての前記通信中基地局制御信号用タイムスロットが、前記上り通信信号用タイムスロットよりも遅い場合には、前記通信中基地局制御信号用タイムスロットと前記上り通信信号用タイムスロットとの時間差が最も大きい通信中基地局制御信号用タイムスロットを、通信中基地局制御信号を受信する受信タイムスロットとして決定することを特徴とする通信方法。
【請求項１４】
無線端末と、該無線端末と相互に異なる周波数で無線回線を設定して通信を行う複数の無線基地局とを備える無線通信システムを用いた通信方法であって、
前記複数の無線基地局が、１フレーム中に含まれる複数の制御信号用タイムスロットを用いて、制御信号を送信するステップと、
前記無線端末が、前記複数の無線基地局から送信される制御信号を受信する受信タイムスロットを、前記複数の制御信号用タイムスロットの中から決定するステップと、
該決定した受信タイムスロットで、前記制御信号を受信するステップと
前記制御信号用タイムスロット以外の上り通信信号用タイムスロットを用いて、前記無線基地局にデータを含む通信信号を送信するステップとを有し、
前記受信タイムスロットを決定するステップでは、前記無線端末が通信を行っていない無線基地局からの非通信中基地局制御信号を送信する非通信中基地局制御信号用タイムスロットの中から、受信タイムスロットを決定する際に、
少なくとも１つの前記非通信中基地局制御信号用タイムスロットが、前記上り通信信号用タイムスロットよりも遅い場合には、該上り通信信号用タイムスロットよりも遅い非通信中基地局制御信号用タイムスロットの中で、前記非通信中基地局制御信号用タイムスロットと前記上り通信信号用タイムスロットとの時間差が最も小さい非通信中基地局制御信号用タイムスロットを、非通信中基地局制御信号を受信する受信タイムスロットとして決定し、
全ての前記非通信中基地局制御信号用タイムスロットが、前記上り通信信号用タイムスロットよりも早い場合には、前記非通信中基地局制御信号用タイムスロットと前記上り通信信号用タイムスロットとの時間差が最も大きい非通信中基地局制御信号用タイムスロットを、非通信中基地局制御信号を受信する受信タイムスロットとして決定することを特徴とする通信方法。
【請求項１５】
無線端末と、該無線端末と相互に異なる周波数で無線回線を設定して通信を行う複数の無線基地局とを備える無線通信システムを用いた通信方法であって、
前記無線端末が、前記無線基地局とデータを含む通信信号の送受信を行う通信信号用タイムスロットに、前記無線端末が通信を行っていない無線基地局からの非通信中基地局制御信号の送信に用いられる非通信中基地局制御信号用タイムスロット以外のタイムスロットを、優先的に割り当てるステップと、
該割り当てられた通信信号用タイムスロットを用いて、前記無線端末が、前記無線基地局とデータを含む通信信号の送受信を行うステップと
を有することを特徴とする通信方法。
【発明の詳細な説明】
【０００１】
【発明の属する技術分野】
本発明は、無線端末と、無線端末と相互に異なる周波数で無線回線を設定して通信を行う複数の無線基地局とを備える無線通信システム、その無線通信システムにおいて用いられる無線端末、無線基地局、制御装置及び通信方法に関する。
【０００２】
【従来の技術】
近年、携帯電話通信等の無線通信の分野では、高速データ通信の要望が高まっており、最大通信速度２Ｍｂｐｓの高速通信を可能とするＩＭＴ―２０００（International  Mobile  Telecommunication―２０００）システムが導入されている。ＩＭＴ―２０００システムでは、ＩＭＴ―２０００／ＴＤＤ（Time  Division  Duplex：時分割多重）方式が規格化されている。ＩＭＴ―２０００／ＴＤＤ方式では、１フレームの長さは１０ｍｓであり、この１フレームを１５個のタイムスロットに分割し、各タイムスロットを、無線端末から無線基地局への上りの通信に使用される上りタイムスロット、又は、無線基地局から無線端末への下りの通信に使用される下りタイムスロットのいずれかに割り当てる。そのため、ＩＭＴ―２０００／ＴＤＤ方式には、このタイムスロットの割り当てを制御することにより、上りのトラフィックと下りのトラフィックの比率を自由に変更できるという利点がある。更に、ＩＭＴ―２０００システムでは、ＣＤＭＡ（Code  Division  Multiple  Access：符号分割多元接続方式）を採用しており、同じタイムスロットで複数の信号を送受信することができるという利点がある。
【０００３】
このようなＩＭＴ―２０００／ＴＤＤ方式を用いた無線通信システムにおける従来の無線端末２１０と無線基地局２２０，２３０との通信方法を、図６、図７を用いて説明する。図６及び図７は、従来の通信方法を説明する説明図である。図６、図７に示すように、無線端末２１０と、無線基地局２２０，２３０は、１〜１５までのタイムスロット番号が付与された１５個のタイムスロットを１フレームとして、各タイムスロットを上りタイムスロット、下りタイムスロットに割り当てて、通信を行う。図６、図７では、横軸は時間軸を表しており、無線端末２１０、無線基地局２２０，２３０が行う信号の送信、受信を、時間軸に対して表している。
【０００４】
まず、図６における信号の送受信について説明する。まず、フレーム番号１のタイムスロット番号１で、無線基地局２２０が制御信号Ａ３１０を送信する。同時に、フレーム番号１のタイムスロット番号１で、無線基地局２３０が制御信号Ｂ３１１を、無線基地局２２０が使用する周波数と異なる周波数で送信する。このように、図６では、無線基地局２２０と無線基地局２３０は、各フレームにおいて、タイムスロット番号１のタイムスロットで制御信号を送信しており、制御信号を送信するタイムスロットが同期している。
【０００５】
このとき、無線端末２１０は、通信中の無線基地局２２０からの制御信号Ａ３１０を受信する。次に、フレーム番号１のタイムスロット番号５で、無線端末２１０が、データを含む通信信号Ｃ３２０を無線基地局２２０に送信する。無線端末２１０は、通信信号Ｃ３２０を送信する送信電力を、タイムスロット番号１のタイムスロットで、制御信号Ａ３１０を受信した際の受信電力に基づいて決定する。次に、無線基地局２２０が、フレーム番号１のタイムスロット番号７のタイムスロットで、通信信号３３０Ｄを無線端末２１０に送信する。
【０００６】
次に、フレーム番号２のタイムスロット番号１で、無線基地局２２０が制御信号Ａ３１０を送信し、無線基地局２３０が制御信号Ｂ３１１を送信する。このとき、無線端末２１０が、無線基地局２２０がカバーするセルから、２３０がカバーするセルに移動していた場合、ハンドオーバを行う。即ち、無線端末２１０が、無線基地局２２０と無線回線を設定して通信を行っている際に、その無線回線の品質が劣化すると、無線回線を他の無線基地局２３０との間の無線回線に切り替えるハンドオーバを行う。そのため、無線端末２１０は、無線基地局２３０からの制御信号Ｂ３１１を受信する。
【０００７】
次に、図７における信号の送受信について説明する。まず、フレーム番号１のタイムスロット番号１で、無線基地局２２０が制御信号Ａ３１０を送信する。このとき、無線端末２１０は、通信中の無線基地局２２０からの制御信号Ａ３１０を受信する。次に、フレーム番号１のタイムスロット番号５で、無線端末２１０が、データを含む通信信号Ｃ３２０を無線基地局２２０に送信する。無線端末２１０は、通信信号Ｃ３２０を送信する送信電力を、タイムスロット番号１のタイムスロットで、制御信号Ａ３１０を受信した際の受信電力に基づいて決定する。
【０００８】
次に、フレーム番号１のタイムスロット番号７において、無線基地局２３０が制御信号Ｂ３１１を、無線基地局２２０が使用する周波数と異なる周波数で送信する。同時に、フレーム番号１のタイムスロット番号７で、無線基地局２２０が、通信信号３３０Ｄを無線端末２１０に送信する。このように、図７では、無線基地局２２０と無線基地局２３０は、各フレームにおいて、異なるタイムスロット番号で制御信号を送信している。このとき、無線端末２１０は、通信中の無線基地局２２０からの通信信号Ｄ３３０を受信する。
【０００９】
次に、フレーム番号２においても同様に、タイムスロット番号１で、無線基地局２２０が制御信号Ａ３１０を送信し、タイムスロット番号５で、無線端末２１０が、通信信号Ｃ３２０を送信する。そして、フレーム番号２のタイムスロット番号７で、無線基地局２３０が制御信号Ｂ３１１を無線端末２１０に送信し、無線基地局２２０が、通信信号３３０Ｄを無線端末２１０に送信する。このとき、無線端末２１０が、無線基地局２３０がカバーするセルに移動していた場合、無線基地局２３０がハンドオーバにより新たに無線回線を設定する無線基地局となる。そのため、無線端末２１０は、無線基地局２３０からの制御信号Ｂ３１１を受信する。
【００１０】
【発明が解決しようとする課題】
しかしながら、図６に示したような複数の無線基地局２２０，２３０が、各フレームにおいて同じタイムスロットで制御信号を送信する従来の通信方法の場合、以下のような問題点があった。ハンドオーバを行う前には、無線端末２１０は、新たに無線回線を設定するハンドオーバ先の無線基地局２３０が送信している制御信号Ｂ３１１を受信して、その制御信号の品質を測定する必要がある。一方、無線端末２１０は、通信信号Ｃ３２０を送信する送信電力を、通信中の無線基地局２２０からの制御信号Ａ３１０を受信した際の受信電力に基づいて決定し、送信電力制御を行う必要がある。
【００１１】
しかしながら、フレーム番号１のように、無線端末２１０が、通信中の無線基地局２２０からの制御信号Ａ３１０を受信してしまうと、通信中の無線基地局２２０以外の無線基地局２３０からの制御信号Ｂ３１１を受信することができず、ハンドオーバに必要な制御信号を受信できないという問題があった。反対に、無線端末２１０が、通信中の無線基地局２２０以外の無線基地局２３０からの制御信号Ｂ３１１を受信してしまうと、通信中の無線基地局２２０からの制御信号Ａ３１０を受信することができず、通信信号Ｃ３２０を送信する際に、送信電力制御ができず、通信容量が劣化し、通信が適切に行えないという問題があった。
【００１２】
又、図７に示したような複数の無線基地局２２０，２３０が、各フレームにおいて、異なるタイムスロットで制御信号を送信する従来の通信方法の場合、以下のような問題点があった。フレーム番号１のタイムスロット番号７のように、無線端末２１０が、通信中の無線基地局２２０からの通信信号Ｄ３３０を受信してしまうと、通信中の無線基地局２２０以外の無線基地局２３０からの制御信号Ｂ３１１を受信することができず、ハンドオーバに必要な制御信号を受信できないという問題があった。
【００１３】
反対に、通信中の無線端末２１０と無線基地局２２０との間の通信信号Ｃ３２０や、通信信号Ｄ３３０の送受信に用いるタイムスロットと同じタイムスロットで、無線基地局２３０から送信された制御信号Ｂ３１１を、無線端末２１０が受信してしまうと、無線端末２１０は、通信信号Ｃ３２０を通信中の無線基地局２２０に送信できず、又、無線端末２１０は、通信中の無線基地局２２０からの通信信号Ｄ３３０を受信できないため、通信中の無線端末２１０と無線基地局２２０との間の通信が適切に行えないという問題があった。
【００１４】
そこで、本発明は、通信中の無線端末と無線基地局とが、通信を適切に行うことができ、無線端末が、通信中の無線基地局以外の無線基地局からの制御信号を受信することができる無線通信システム、無線端末、無線基地局、制御装置及び通信方法を提供することを目的とする。
【００１５】
【課題を解決するための手段】
本発明に係る無線通信システムは、無線端末と、その無線端末と相互に異なる周波数で無線回線を設定して通信を行う複数の無線基地局とを備える無線通信システムである。そして、複数の無線基地局は、１フレーム中に含まれる複数の制御信号用タイムスロットを用いて、制御信号を送信する制御信号送信手段を備える。又、無線端末は、複数の無線基地局から送信される制御信号を受信する受信タイムスロットを、複数の制御信号用タイムスロットの中から決定する受信タイムスロット決定手段と、その受信タイムスロット決定手段が決定した受信タイムスロットで、制御信号を受信する制御信号受信手段と、制御信号用タイムスロット以外の上り通信信号用タイムスロットを用いて、無線基地局にデータを含む通信信号を送信する通信信号送信手段とを備えることを特徴とする。
【００１６】
以下、制御信号を送信するタイムスロットを「制御信号用タイムスロット」、複数の制御信号用タイムスロットの中から決定された制御信号を受信する受信タイムスロットを「受信タイムスロット」、データを含む信号を「通信信号」という。又、無線基地局と無線端末との間で通信信号を送受信するタイムスロットを、「通信信号用タイムスロット」といい、特に、無線端末から無線基地局に通信信号を送信する通信信号用タイムスロットを、「上り通信信号用タイムスロット」、無線基地局から無線端末に通信信号を送信する通信信号用タイムスロットを、「下り通信信号用タイムスロット」という。
【００１７】
このような本発明に係る無線通信システムによれば、制御信号送信手段が、１フレーム中に含まれる複数の制御信号用タイムスロットを用いて、制御信号を送信する。そして、受信タイムスロット決定手段が、その複数の制御信号用タイムスロットの中から、制御信号を受信する受信タイムスロットを決定し、制御信号受信手段が、その決定した受信タイムスロットで制御信号を受信する。更に、通信信号送信手段が、制御信号用タイムスロット以外の上り通信信号用タイムスロットを用いて、通信信号を無線基地局に送信する。
【００１８】
そのため、複数の無線基地局から、１フレーム中に、複数回、制御信号が送信され、無線端末は、その中から各無線基地局からの制御信号を受信する受信タイムスロットをそれぞれ選択して、各無線基地局からの制御信号を受信することができる。更に、無線端末は、通信信号を、制御信号用タイムスロット以外の上り通信信号用タイムスロットを用いることにより、送信することができる。
【００１９】
よって、無線端末は、ハンドオーバに必要な通信中の無線基地局以外の無線基地局からの制御信号を受信することができる。更に、無線端末は、送信電力制御に必要な通信中の無線基地局からの制御信号も受信して、送信電力制御を行うことができ、無線基地局へ通信信号を送信できるので、通信中の無線端末と無線基地局は、通信を適切に行うことができる。
【００２０】
又、受信タイムスロット決定手段は、上り通信信号用タイムスロットと、複数の制御信号用タイムスロットとの時間差に基づいて、受信タイムスロットを決定することが好ましい。これによれば、例えば、通信信号送信手段が、通信信号を送信する際の送信電力制御の基準となる制御信号用タイムスロットと、上り通信信号用タイムスロットとの時間差が最も小さくなるように、受信タイムスロットを決定する等、受信タイムスロット決定手段は、上り通信信号用タイムスロットと、複数の制御信号用タイムスロットとの時間差に基づいて、通信信号送信手段が、通信信号を送信する際の送信電力制御の効果が大きくなるように、受信タイムスロットを決定することができる。
【００２１】
又、受信タイムスロット決定手段は、無線端末が通信を行っている無線基地局からの通信中基地局制御信号を送信する通信中基地局制御信号用タイムスロットの中から、受信タイムスロットを決定する際に、少なくとも１つの通信中基地局制御信号用タイムスロットが、上り通信信号用タイムスロットよりも早い場合には、その上り通信信号用タイムスロットよりも早い通信中基地局制御信号用タイムスロットの中で、通信中基地局制御信号用タイムスロットと上り通信信号用タイムスロットとの時間差が最も小さい通信中基地局制御信号用タイムスロットを、通信中基地局制御信号を受信する受信タイムスロットとして決定し、全ての通信中基地局制御信号用タイムスロットが、上り通信信号用タイムスロットよりも遅い場合には、通信中基地局制御信号用タイムスロットと上り通信信号用タイムスロットとの時間差が最も大きい通信中基地局制御信号用タイムスロットを、通信中基地局制御信号を受信する受信タイムスロットとして決定することが好ましい。
【００２２】
以下、無線端末が通信を行っている無線基地局、即ち、無線端末が無線回線を設定して、通信信号の送受信を行っている無線基地局からの制御信号を特に、「通信中基地局制御信号」、通信中基地局制御信号を送信するタイムスロットを特に、「通信中基地局制御信号用タイムスロット」という。反対に、無線端末が通信を行っていない無線基地局、即ち、無線端末が無線回線を設定しておらず、通信信号の送受信を行っていない無線基地局からの制御信号を特に、「非通信中基地局制御信号」、非通信中基地局制御信号を送信するタイムスロットを特に、「非通信中基地局制御信号用タイムスロット」という。
【００２３】
これによれば、少なくとも１つの通信中基地局制御信号用タイムスロットが、上り通信信号用タイムスロットよりも早い場合には、上り通信信号用タイムスロットよりも早い通信中基地局制御信号用タイムスロットの中から、通信中基地局制御信号用タイムスロットと上り通信信号用タイムスロットとの時間差が最も小さい通信中制御信号用タイムスロットが、通信中基地局制御信号を受信する受信タイムスロットとして決定されるので、通信信号送信手段が、通信信号を送信する際の送信電力制御の基準となる制御信号用タイムスロットと、上り通信信号用タイムスロットとの時間差を最も小さくでき、通信信号を送信する際の送信電力制御の効果を大きくすることができる。
【００２４】
一方、全ての通信中基地局制御信号用タイムスロットが、上り通信信号用タイムスロットよりも遅い場合には、その上り通信信号用タイムスロットよりも遅い非通信中基地局制御信号用タイムスロットの中で、通信中基地局制御信号用タイムスロットと上り通信信号用タイムスロットとの時間差が最も大きい通信中制御信号用タイムスロットが、通信中基地局制御信号を受信する受信タイムスロットとして決定される。そのため、通信信号送信手段が、通信信号を送信した後、次の通信信号を送信する際の送信電力制御の基準となる制御信号用タイムスロットを、次の通信信号を送信するための上り通信信号用タイムスロットに近づけることができる。よって、通信信号送信手段が、通信信号を送信する際の送信電力制御の基準となる制御信号用タイムスロットと、上り通信信号用タイムスロットとの時間差を最も小さくでき、通信信号を送信する際の送信電力制御の効果を大きくすることができる。
【００２５】
又、受信タイムスロット決定手段は、無線端末が通信を行っていない無線基地局からの非通信中基地局制御信号を送信する非通信中基地局制御信号用タイムスロットの中から、非通信中基地局制御信号を受信する受信タイムスロットを決定する際に、少なくとも１つの非通信中基地局制御信号用タイムスロットが、上り通信信号用タイムスロットよりも遅い場合には、上り通信信号用タイムスロットよりも遅い非通信中基地局制御信号用タイムスロットの中で、非通信中基地局制御信号用タイムスロットと上り通信信号用タイムスロットとの時間差が最も小さい非通信中基地局制御信号用タイムスロットを、非通信中基地局制御信号を受信する受信タイムスロットとして決定し、全ての非通信中基地局制御信号用タイムスロットが、上り通信信号用タイムスロットよりも早い場合には、非通信中基地局制御信号用タイムスロットと上り通信信号用タイムスロットとの時間差が最も大きい非通信中基地局制御信号用タイムスロットを、非通信中基地局制御信号を受信する受信タイムスロットとして決定することが好ましい。
【００２６】
これによれば、少なくとも１つの非通信中基地局制御信号用タイムスロットが、上り通信信号用タイムスロットよりも遅い場合には、上り通信信号用タイムスロットよりも遅い非通信中基地局制御信号用タイムスロットの中から、非通信中基地局制御信号用タイムスロットと上り通信信号用タイムスロットとの時間差が最も小さい非通信中制御信号用タイムスロットが、非通信中基地局制御信号を受信する受信タイムスロットとして決定される。そのため、送信電力制御に関係のない非通信中基地局制御信号を受信する非通信中基地局制御信号用タイムスロットを、通信信号送信手段が、通信信号を送信した後、次の通信信号を送信するための上り通信信号用タイムスロットから遠ざけることができる。よって、通信信号送信手段が、次の通信信号を送信するための上り通信信号タイムスロットよりも手前にあって、その上り通信信号用タイムスロットとの時間差が小さいタイムスロットを、送信電力制御の基準となる制御信号を送信するための制御信号用タイムスロットに当てることができ、通信信号を送信する際の送信電力制御の効果を大きくすることができる。
【００２７】
一方、全ての非通信中基地局制御信号用タイムスロットが、上り通信信号用タイムスロットよりも早い場合には、非通信中基地局制御信号用タイムスロットと上り通信信号用タイムスロットとの時間差が最も大きい非通信中制御信号用タイムスロットが、非通信中基地局制御信号を受信する受信タイムスロットとして決定される。そのため、送信電力制御に関係のない非通信中基地局制御信号を受信する非制御信号用タイムスロットを、通信信号送信手段が、これから通信信号を送信する通信信号用タイムスロットから遠ざけることができる。よって、通信信号送信手段が、これから通信信号を送信するための上り通信信号用タイムスロットよりも手前にあって、その上り通信信号用タイムスロットとの時間差が小さいタイムスロットを、送信電力制御の基準となる制御信号を送信するための制御信号用タイムスロットに当てることができ、通信信号を送信する際の送信電力制御の効果を大きくすることができる。
【００２８】
又、制御信号用タイムスロットを決定する送信タイムスロット決定手段を備え、制御信号送信手段は、送信タイムスロット決定手段が決定した制御信号用タイムスロットで、制御信号を送信するようにしてもよい。これによれば、無線基地局は、その時の通信の状況に応じて臨機応変に送信するタイミングを変更して、制御信号を送信することができる。
【００２９】
この送信タイムスロット決定手段は、上り通信信号用タイムスロットと各タイムスロットとの時間差に基づいて、制御信号用タイムスロットを決定することが好ましい。これによれば、例えば、通信信号送信手段が、通信信号を送信する際の送信電力制御の基準となる制御信号用タイムスロットと、上り通信信号用タイムスロットとの時間差が最も小さくなるように、制御信号用タイムスロットを決定する等、送信タイムスロット決定手段は、上り通信信号用タイムスロットと、各タイムスロットとの時間差に基づいて、通信信号送信手段が、通信信号を送信する際の送信電力制御の効果が大きくなるように、制御信号用タイムスロットを決定することができる。
【００３０】
又、無線端末が複数の無線基地局から制御信号を受信する必要があるか否かを判断する判断手段を備え、制御信号送信手段は、判断手段による判断結果に基づいて、１フレーム中に含まれる複数の制御信号用タイムスロットを用いた制御信号の送信と、１フレーム中に含まれる１つの制御信号用タイムスロットを用いた制御信号の送信とを切り替えることが好ましい。
【００３１】
これによれば、制御信号送信手段は、無線端末がハンドオーバを行う際等、無線端末が複数の無線基地局から制御信号を受信する必要がある場合にだけ、１フレーム中に含まれる複数の制御信号用タイムスロットを用いた制御信号の送信を行い、それ以外の場合には、１フレーム中に含まれる１つの制御信号用タイムスロットを用いた制御信号の送信を行うことができる。よって、無駄な制御信号の送信を回避することができ、タイムスロットを通信に有効利用することができる。
【００３２】
又、他の発明に係る無線通信システムにおいては、無線端末が無線基地局と通信信号の送受信を行う通信信号用タイムスロットに、無線端末が通信を行っていない無線基地局からの非通信中基地局制御信号の送信に用いられる非通信中基地局制御信号用タイムスロット以外のタイムスロットを、優先的に割り当てる割り当て手段を備えることを特徴とする。
【００３３】
このような本発明に係る無線通信システムによれば、割り当て手段が、通信信号用タイムスロットに、無線端末が通信を行っていない無線基地局からの非通信中基地局制御信号の送信に用いられている非通信中基地局制御信号用タイムスロット以外のタイムスロットを、優先的に割り当てることができる。そのため、非通信中基地局制御信号用タイムスロットが、通信信号用タイムスロットに、割り当てられることをできるだけ防止でき、非通信中基地局制御信号用タイムスロットを非通信中基地局制御信号の送信のために確保することができる。よって、無線端末は、ハンドオーバに必要な通信を行っていない無線基地局からの制御信号を受信することができる。更に、通信中の無線端末と無線基地局は、非通信中基地局制御信号用タイムスロット以外の通信信号用タイムスロットを用いて、通信信号の送受信を行うことができ、通信を適切に行うことができる。
【００３４】
又、割り当て手段は、通信信号用タイムスロットに、非通信中基地局制御信号用タイムスロット以外のタイムスロットを割り当てることができない場合、通信信号用タイムスロットに、非通信中基地局制御信号用タイムスロットを割り当て、無線端末が非通信中基地局制御信号を受信する際に、通信信号用タイムスロットを、非通信中基地局制御信号用タイムスロット以外のタイムスロットに切り替えるようにすることができる。
【００３５】
これによれば、通信信号用タイムスロットに、非通信中基地局制御信号用タイムスロット以外のタイムスロットを割り当てることができない場合であっても、通信信号用タイムスロットに、非通信中基地局制御信号用タイムスロットが割り当てられるため、その通信信号用タイムスロットを用いて、無線端末と無線基地局とは、通信を行うことができる。そして、無線端末が非通信中基地局制御信号を受信する必要が生じた場合には、通信信号用タイムスロットを、非通信中基地局制御信号用タイムスロット以外のタイムスロットに切り替えるため、非通信中基地局制御信号用タイムスロットを、一時的に、非通信中基地局制御信号の送信のために確保することができる。よって、無線端末は、ハンドオーバに必要な通信を行っていない無線基地局からの制御信号を受信することができる。
【００３６】
【発明の実施の形態】
［第１の実施の形態］
以下、本発明の第１の実施の形態について、図面を参照しながら説明する。
（無線通信システム）
図１は、本発明の第１の実施の形態に係る無線通信システム１の構成を示す説明図である。無線通信システム１は、ＩＭＴ―２０００システムである。無線通信システム１は、無線端末１０と、複数の無線基地局２０，３０と、制御装置４０と、交換機５０と、ＩＭＴ―２０００ネットワーク６０とから構成される。
【００３７】
無線端末１０は、無線基地局２０，３０と無線回線を設定して通信を行う。無線端末１０は、各無線基地局２０，３０と、無線基地局２０，３０毎に異なる周波数で無線回線を設定し、通信を行う。本実施形態では、無線端末１０は、無線基地局２０とは、周波数ｆ１を用いて無線回線を設定し、通信を行い、無線基地局３０とは、周波数ｆ２を用いて無線回線を設定し、通信を行う。又、無線端末１０は、例えば、無線基地局２０と通信中に、無線基地局２０との間に設定された無線回線の品質が劣化した場合、無線回線を無線基地局３０との間の無線回線に切り替えるハンドオーバを行い、反対に、無線基地局３０と通信中に、無線基地局３０との間に設定された無線回線の品質が劣化した場合、無線回線を無線基地局２０との間の無線回線に切り替えるハンドオーバを行う。
【００３８】
無線端末１０は、無線部１１と、制御部１２とから構成される。無線部１１は、制御部１２の制御に基づいて、無線基地局２０，３０と無線回線を設定し、通信信号の送受信を行う。又、無線部１１は、制御部１２の制御に基づいて、無線基地局２０，３０からの制御信号を受信する。即ち、本実施形態において、無線部１１は、無線基地局２０，３０に通信信号を送信する通信信号送信手段として機能する。又、無線部１１は、制御信号を受信する制御信号受信手段としても機能する。尚、無線部１１は、複数の無線基地局２０，３０のいずれか１つと、周波数ｆ１、周波数ｆ２のいずれか１つの周波数を用いて、通信信号の送受信を行う。又、無線部１１は、制御部１２の制御に基づいて、無線回線を設定する無線基地局２０，３０を切り替えるハンドオーバを行う。
【００３９】
制御部１２は、無線部１１を制御する。制御部１２は、無線部１１が複数の無線基地局２０，３０から送信される制御信号を受信する受信タイムスロットを、複数の制御信号用タイムスロットの中から決定するタイムスロット決定手段として機能する。そして、制御部１２は、決定した受信タイムスロットで、制御信号を受信するよう無線部１１に指示をして、無線部１１を制御する。又、制御部１２は、無線基地局２０，３０から無線部１１が受信した制御信号から、無線端末１０に割り当てられた上り通信信号用タイムスロットに関する制御情報を取得する。そして、制御部１２は、無線端末１０に割り当てられた上り通信信号用タイムスロットで、無線基地局２０，３０に通信信号を送信するよう無線部１１に指示をして、無線部１１を制御する。
【００４０】
この通信信号の送信に際し、制御部１２は、送信電力制御を行う。制御部１２は、無線部１１が制御信号を受信した際の受信電力に基づいて、通信信号を送信する際の送信電力を決定する。この送信電力制御により、無線部１１から無線基地局２０，３０に通信信号を送信する送信電力を最適化し、通信容量を増大することができる。
【００４１】
又、制御部１２は、ハンドオーバの制御も行う。制御部１２は、無線部１１が受信した無線基地局２０，３０からの制御信号の受信品質を、無線部１１から取得する。そして、制御部１２は、制御信号の受信品質に関する制御情報を、データとともに通信信号として無線基地局２０，３０に送信するように、無線部１１に指示をする。これに対する制御装置４０からのハンドオーバに関する指示を含む制御信号を、無線部１１が、無線基地局２０，３０から受信し、制御部１２は、その制御信号からハンドオーバに関する指示を取得する。そして、制御部１２は、そのハンドオーバに関する指示に従って、新たに無線回線を設定するよう無線部１１に指示をする。
【００４２】
無線基地局２０，３０は、無線端末１０と無線回線を設定して通信を行う。各無線基地局２０，３０は、無線基地局２０，３０毎に異なる周波数を用いて無線端末１０と無線回線を設定し、通信を行う。本実施形態では、無線基地局２０は、周波数ｆ１を用いて無線回線を設定し、通信を行い、無線基地局３０は、周波数ｆ２を用いて無線回線を設定し、通信を行う。又、無線基地局２０，３０は、制御装置４０と接続しており、制御装置４０の制御に従って、無線端末１０に通信信号や制御信号を送信する。
【００４３】
無線基地局２０，３０は、無線部２１，３１と、制御部２２，３２と、インタフェース２３，３３とから構成される。無線部２１，３１は、制御部２２，３２の制御に基づいて、無線端末１０と無線回線を設定し、通信信号の送受信を行う。又、無線部２１，３１は、制御部２２，３２の制御に基づいて、１フレーム中に含まれる複数の制御信号用タイムスロットを用いて、制御信号を無線端末１０に送信する。即ち、本実施形態において、無線部２１，３１は、無線端末１０に制御信号を送信する制御信号送信手段として機能する。尚、無線部２１は、周波数ｆ１を用いて、無線部３１は周波数ｆ２を用いて、制御信号の送信や通信信号の送受信を行う。インタフェース２３，３３は、制御装置４０と接続し、制御装置４０からの制御情報やデータを受信して、制御部２２，３２に伝送する。又、インタフェース２３，３３は、制御部２２，３２からの制御情報やデータを、制御装置４０に送信する。
【００４４】
制御部２２，３２は、無線部２１，３１を制御する。制御部２２，３２は、インタフェース２３，３３を介して、制御装置４０から、制御装置４０が無線基地局２０，３０に割り当てた制御信号用タイムスロットに関する制御情報を取得する。そして、制御部２２，３２は、割り当てられた制御信号用タイムスロットで、無線端末１０に制御信号を送信するよう無線部２１，３１に指示をして、無線部２１，３１を制御する。本実施形態では、無線基地局２０，３０は、制御装置４０から、制御信号用タイムスロットとして、１フレーム中に含まれる複数のタイムスロットが割り当てられる。尚、無線端末１０に送信する制御信号には、制御装置４０が、無線端末１０に割り当てられた上り通信信号用タイムスロットに関する制御情報や、無線端末１０に対するハンドオーバに関する指示、無線基地局２０，３０に割り当てられた制御信号用タイムスロットに関する制御情報等が含まれる。
【００４５】
又、制御部２２，３２は、インタフェース２３，３３を介して、制御装置４０から、制御装置４０が無線基地局２０，３０に割り当てた下り通信信号用タイムスロットに関する制御情報を取得する。そして、制御部２２，３２は、割り当てられた下り通信信号用タイムスロットで、無線端末１０に通信信号を送信するよう無線部２１，３１に指示をして、無線部２１，３１を制御する。又、制御部２２，３２は、無線部２１，３１が受信した無線端末１０からの通信信号に含まれる制御信号の受信品質に関する制御情報や、データを取得する。そして、制御部２２，３２は、インタフェース２３，３３を介して、制御信号の品質に関する制御情報やデータを、制御装置４０に送信する。
【００４６】
制御装置４０は、無線端末１０と、無線基地局２０，３０との間で行われる通信を制御する。制御装置４０は、無線基地局２０，３０と接続し、無線基地局２０，３０を制御する。又、制御装置４０は、無線基地局２０，３０を介して無線端末１０を制御する。又、制御装置４０は、交換機５０とも接続しており、無線基地局２０，３０から受信した無線端末１０からのデータを、交換機５０に送信する。又、制御装置４０は、交換機５０から、無線端末１０に対するデータを受信し、無線基地局２０，３０に送信する。
【００４７】
制御装置４０は、制御部４１と、インタフェース４２とから構成される。インタフェース４２は、無線基地局２０，３０と接続し、制御部４１からの制御情報やデータを無線基地局２０，３０に送信する。又、インタフェース４２は、無線基地局２０，３０から、データや制御情報を受信し、制御部４１に伝送する。又、インタフェース４２は、交換機５０とも接続しており、無線基地局２０，３０から受信した無線端末１０からのデータを、制御部４１の指示に従って交換機５０に送信する。又、インタフェース４２は、交換機５０から、無線端末１０に対するデータを受信し、制御部４１の指示に従って無線基地局２０，３０に送信する。
【００４８】
制御部４１は、インタフェース４２を介して、無線基地局２０，３０を制御する。制御部４１は、無線基地局２０，３０が制御信号を送信する制御信号用タイムスロットを決定する送信タイムスロット決定手段として機能する。制御部４１は、決定した制御信号用タイムスロットに関する制御情報を、インタフェース４２を介して、無線基地局２０，３０に送信することにより、無線基地局２０，３０の制御信号の送信を制御する。このように、制御部４１は、制御信号用タイムスロットの決定結果に基づいて、無線基地局２０，３０の制御信号の送信を制御する基地局制御手段としても機能する。
【００４９】
又、制御部４１は、無線基地局２０，３０に、下り通信信号用タイムスロットを割り当てる。又、制御部４１は、無線端末１０に、上り通信信号用タイムスロットを割り当てる。制御部４１は、下り通信信号用タイムスロットと上り通信信号用タイムスロットとが相互に異なるタイムスロットとなるように、下り通信信号用タイムスロット、上り通信信号用タイムスロットを割り当てる。そして、制御部４１は、インタフェース４２を介して、下り通信信号用タイムスロットに関する制御情報を、無線基地局２０，３０に送信することにより、無線基地局２０，３０の通信信号の送信を制御する。又、制御部４１は、インタフェース４２を介して、上り通信信号用タイムスロットに関する制御情報を、無線基地局２０，３０に送信し、その情報を無線端末１０に送信するよう指示することにより、無線端末１０の上り通信信号用タイムスロットを用いた通信信号の送信を制御する。
【００５０】
又、制御部４１は、無線端末１０のハンドオーバを制御する。具体的には、制御部４１は、無線基地局２０，３０から、インタフェース４２を介して、無線端末１０からの制御信号の受信品質に関する制御情報等を取得する。制御部４１は、制御信号の受信品質が劣化している場合には、ハンドオーバを行う必要があると判断する。一方、制御部４１は、制御信号の受信品質が良好な場合には、ハンドオーバを行う必要がないと判断する。そして、制御部４１は、ハンドオーバを行う必要があると判断した場合、無線端末１０に対するハンドオーバの指示に関する制御情報を、インタフェース４２を介して、無線基地局２０，３０に送信し、無線基地局２０，３０に対して、その制御情報を無線端末１０に送信するよう指示をする。
【００５１】
又、制御部４１は、無線基地局２０，３０から受信した無線端末１０からのデータを、交換機５０に送信するようインタフェース４２に指示をする。又、制御装置４０は、交換機５０から受信した無線端末１０に対するデータを、インタフェース４２を介して受信し、無線基地局２０，３０に送信するようインタフェース４２に指示をする。
【００５２】
交換機５０は、制御装置４０とＩＭＴ―２０００ネットワーク６０と接続している。交換機５０は、自身の配下にある無線端末１０に宛てて送信されたデータを、ＩＭＴ―２０００ネットワーク６０を介して受信し、制御装置４０に送信する。又、交換機５０は、無線端末１０から送信されたデータを、制御装置４０から受信し、ＩＭＴ―２０００ネットワーク６０を介して、他の交換機５０に送信する。
【００５３】
ＩＭＴ―２０００ネットワーク６０は、ＩＭＴ−２０００で規格化されている方式による移動通信網であり、ＩＭＴ―２０００ネットワーク６０には、複数の交換機５０が接続している。ＩＭＴ―２０００ネットワーク６０は、交換機５０から送信されたデータを、そのデータの宛先である無線端末１０が配下にある交換機５０まで転送する。
【００５４】
（通信方法）
次に、上記無線通信システム１を用いた通信方法を説明する。図２は、本発明の第１の実施の形態に係る通信方法を説明する説明図である。以下、図２を用いて説明する。図２では、横軸は時間軸を表しており、無線端末１０と、無線基地局２０，３０とが行う通信信号、制御信号の送受信を、時間軸に対して表している。又、図２に示すように、１フレームは、１５個のタイムスロットに分割されている。１フレームの長さは、１０ｍｓであり、各タイムスロットは、上りの通信信号の送信や、下りの通信信号や制御信号の送信に割り当てることができる。フレームには、時間の経過に従って、１から順番に番号が付与されている。タイムスロットには、時間の経過に従って、１〜１５までの番号が順番に付与されている。
【００５５】
図２においては、無線端末１０は、無線基地局２０と無線回線を設定し、通信を行っている。まず、フレーム番号１のタイムスロット番号１で、無線基地局２０が制御信号Ａ１１０を、周波数ｆ１を用いて送信する。同時に、フレーム番号１のタイムスロット番号１で、無線基地局３０が制御信号Ｂ１１１を、周波数ｆ２を用いて送信する。このとき、無線端末１０は、通信中の無線基地局２０からの制御信号Ａ１１０を受信する。以下、無線基地局２０が送信する制御信号を制御信号Ａ、無線基地局３０が送信する制御信号を制御信号Ｂとする。
【００５６】
次に、フレーム番号１のタイムスロット番号５で、無線端末１０が、データを含む通信信号Ｃ１２０を無線基地局２０に送信する。無線端末１０は、通信信号Ｃ１２０を送信する送信電力を、タイムスロット番号１のタイムスロットで、制御信号Ａ１１０を受信した際の受信電力に基づいて決定する。次に、無線基地局２０が、フレーム番号１のタイムスロット番号７のタイムスロットで、通信信号１３０Ｄを無線端末１０に送信する。以下、無線端末３０が送信する通信信号を通信信号Ｃ、無線基地局２０が送信する通信信号を通信信号Ｄとする。
【００５７】
次に、フレーム番号１のタイムスロット番号９で、無線基地局２０が制御信号Ａ１１０を、周波数ｆ１を用いて送信する。同時に、フレーム番号９のタイムスロット番号１で、無線基地局３０が制御信号Ｂ１１１を、周波数ｆ２を用いて送信する。このとき、無線端末１０は、通信を行っていない無線基地局３０からの制御信号Ｂ１１１を受信する。フレーム番号２においても、フレーム番号１と同様にして、制御信号、通信信号の送受信が行われる。
【００５８】
このように、無線基地局２０と無線基地局３０は、各フレームにおいて、同じタイムスロット番号１、タイムスロット番号９のタイムスロットで制御信号を送信しており、制御信号を送信するタイムスロットが同期している。又、無線基地局２０，３０は、タイムスロット番号１、タイムスロット番号９のタイムスロットという、１フレーム中に含まれる２つの制御信号用タイムスロットを用いて、制御信号Ａ、制御信号Ｂを送信する。
【００５９】
（各信号の送受信方法）
次に、各信号の送受信方法について、詳細に説明する。
（１）制御信号の送信方法
まず、制御信号の送信方法について説明する。制御装置４０の制御部４１は、無線基地局２０，３０が、１フレーム中に２回、制御信号を送信できるように、１フレーム中に含まれる２つのタイムスロットを、制御信号用タイムスロットとして決定する。更に、制御部４１は、無線基地局２０と無線基地局３０とが、同じタイムスロットで、制御信号を送信できるように、制御信号用タイムスロットを決定する。
【００６０】
図２では、制御部４１は、各フレームにおいて、タイムスロット番号１のタイムスロットと、タイムスロット番号９のタイムスロットを、制御信号用タイムスロットに決定する。制御部４１は、インタフェース４２を介して、タイムスロット番号１とタイムスロット番号９のタイムスロットを制御信号用タイムスロットとして用いるよう指示する制御情報を、無線基地局２０，３０に送信して、タイムスロット番号１とタイムスロット番号９のタイムスロットを用いて制御信号を送信するよう指示する。
【００６１】
無線基地局２０，３０のインタフェース２３，３３は、制御情報を受信し、制御部２２，３２に伝送する。制御部２２，３２は、制御情報から、制御信信号用タイムスロットとしてタイムスロット番号１と、タイムスロット番号９のタイムスロットが割り当てられたことを取得し、無線部２１，３１に、タイムスロット番号１とタイムスロット番号９のタイムスロットで制御信号を、無線端末１０に送信するよう指示をする。
【００６２】
そして、無線部２１が、無線端末１０に制御信号Ａ１１０を、１フレーム中に含まれる複数の制御信号用タイムスロット、即ち、各フレームのタイムスロット番号１と、タイムスロット番号９のタイムスロットで、周波数ｆ１を用いて送信する。又、無線部３１が、無線端末１０に制御信号Ｂ１１１を、１フレーム中に含まれる複数の制御信号用タイムスロット、即ち、各フレームのタイムスロット番号１と、タイムスロット番号９のタイムスロットで、周波数ｆ２を用いて送信する。又、制御部２２，３２は、割り当てられた制御信号用タイムスロットのタイムスロット番号を含む制御信号を、無線端末１０に送信するよう無線部２１，３１に指示をし、無線部２１，３１が無線端末１０に送信する。
【００６３】
（２）通信信号の送受信方法
次に、通信信号の送受信方法について説明する。制御装置４０の制御部４１は、上り通信信号用タイムスロットと、下り通信信号用タイムスロットが相互に異なるように、通信信号用タイムスロットを決定する。更に、制御部４１は、制御信号用タイムスロット以外のタイムスロットの中から、通信信号用タイムスロットを決定する。図２では、制御部４１は、各フレームにおいて、
タイムスロット番号５のタイムスロットを、上り通信信号用タイムスロットに、タイムスロット番号７のタイムスロットを、下り通信信号用タイムスロットに決定する。
【００６４】
制御部４１は、インタフェース４２を介して、タイムスロット番号７のタイムスロットを、下り通信信号用タイムスロットとして用いるよう指示する制御情報を、無線基地局２０に送信して、タイムスロット番号７のタイムスロットを用いて通信信号を送信するよう指示する。無線基地局２０のインタフェース２３は、制御情報を受信し、制御部２２に伝送する。制御部２２は、制御情報から、下り通信信号用タイムスロットとしてタイムスロット番号７のタイムスロットが割り当てられたことを取得し、無線部２１に、タイムスロット番号７のタイムスロットで、通信信号を無線端末１０に送信するよう指示をする。そして、無線部２１が、周波数ｆ１を用いて、通信信号Ｄ１３０を、各フレームのタイムスロット番号7のタイムスロットで、無線端末１０に送信する。
【００６５】
又、制御部４１は、インタフェース４２を介して、タイムスロット番号５のタイムスロットを、上り通信信号用タイムスロットとして用いるよう指示する制御情報を無線基地局２０に送信し、無線基地局２０に、その制御情報を無線端末１０に送信するよう指示する。無線基地局２０は、制御装置４０からのタイムスロット番号５のタイムスロットを、上り通信信号用タイムスロットとして用いるよう指示する制御情報を含む制御信号を、無線端末１０に送信する。無線端末１０の受信部１１は、制御信号を受信し、制御部１２に伝送する。制御部１２は、制御信号から、上り通信信号用タイムスロットとしてタイムスロット番号５のタイムスロットが割り当てられたことを取得し、無線部１１に、タイムスロット番号５のタイムスロットで通信信号を送信するよう指示をする。そして、無線部１１が、通信信号Ｃ１２０を、各フレームのタイムスロット番号５のタイムスロットで、周波数ｆ１を用いて無線基地局２０に送信する。
【００６６】
（３）制御信号の受信方法
次に、制御信号の受信方法について説明する。無線端末１０の制御部１２は、無線基地局２０，３０から制御信号が送信される複数の制御信号用タイムスロットの中から、制御信号を受信する受信タイムスロットを決定する。制御部１２は、上り通信信号用タイムスロットと、各制御信号用タイムスロットとの時間差に基づいて、受信タイムスロットを決定する。具体的には、制御部１２は、無線部１１が通信信号を送信する際の送信電力制御の基準となる制御信号用タイムスロットと、上り通信信号用タイムスロットとの時間差が最も小さくなるように、受信タイムスロットを決定する。
【００６７】
本実施形態では、制御部１２は、タイムスロット番号を用いて、上り通信信号用タイムスロットと、制御信号用タイムスロットとの時間差がどうなっているかを判断し、受信タイムスロットを決定することができる。制御部１２は、最初に、無線端末１０が通信を行っている無線基地局２０からの通信中基地局制御信号である制御信号Ａ１１０を送信している、通信中基地局制御信号用タイムスロットであるタイムスロット番号１と、タイムスロット番号９のタイムスロットの中から、通信中基地局制御信号である制御信号Ａ１１０を受信する受信タイムスロットを決定する。
【００６８】
具体的には、制御部１２は、図３に示す手順に従い、受信タイムスロットを決定する。図３は、本発明の第１の実施の形態に係る受信タイムスロット決定方法の手順を示すフロー図である。まず、制御部１２は、制御信号Ａ１１０を送信する通信中基地局制御信号用タイムスロットのタイムスロット番号の少なくとも１つが、無線部１１が、通信信号Ｃ１２０を送信する上り通信信号用タイムスロットのタイムスロット番号よりも、小さいか否かを判断する（Ｓ１０１）。これにより、制御部１２は、少なくとも１つの通信中基地局制御信号用タイムスロットが、上り通信信号用タイムスロットよりも早いか否かを判断できる。
【００６９】
制御部１２は、ステップ（Ｓ１０１）において、制御信号Ａ１１０を送信する通信中基地局制御信号用タイムスロットのタイムスロット番号の少なくとも１つが、通信信号Ｃ１２０を送信する上り通信信号用タイムスロットのタイムスロット番号よりも小さい場合、通信信号Ｃ１２０を送信する上り通信信号用タイムスロットのタイムスロット番号よりも小さい制御信号Ａ１１０を送信する通信中基地局制御信号用タイムスロットのタイムスロット番号のうち、最も大きいタイムスロット番号の通信中基地局制御信号用タイムスロットを、通信中基地局制御信号を受信する受信タイムスロットに決定する（Ｓ１０２）。
【００７０】
これにより、制御部１２は、上り通信信号用タイムスロットよりも早い通信中基地局制御信号用タイムスロットの中から、通信中基地局御信号用タイムスロットと上り通信信号用タイムスロットとの時間差が最も小さい通信中基地局制御信号用タイムスロットを、通信中基地局制御信号を受信する受信タイムスロットに決定できる。
【００７１】
一方、制御部１２は、ステップ（Ｓ１０１）において、制御信号Ａ１１０を送信する通信中基地局制御信号用タイムスロットのタイムスロット番号の全てが、通信信号Ｃ１２０を送信する上り通信信号用タイムスロットのタイムスロット番号よりも大きい場合、制御信号Ａ１１０を送信する通信中基地局制御信号用タイムスロットのタイムスロット番号のうち、最も大きいタイムスロット番号の通信中基地局制御信号用タイムスロットを、通信中基地局制御信号を受信する受信タイムスロットに決定する（Ｓ１０３）。これにより、制御部１２は、通信中基地局御信号用タイムスロットと上り通信信号用タイムスロットとの時間差が最も大きい通信中基地局制御信号用タイムスロットを、通信中基地局制御信号を受信する受信タイムスロットに決定できる。
【００７２】
図２の場合、通信信号Ｃ１２０を送信する上り通信信号用タイムスロットのタイムスロット番号５よりも、制御信号Ａ１１０を送信する通信中基地局制御信号用タイムスロットのタイムスロット番号１の方が小さいため、ステップ（Ｓ１０１）における判断の結果、ステップ（Ｓ１０２）に進む。そして、制御部１２は、通信信号Ｃ１２０を送信する上り通信信号用タイムスロットのタイムスロット番号５よりも小さい制御信号Ａ１１０を送信する通信中基地局制御信号用タイムスロットのタイムスロット番号のうち、最も大きいタイムスロット番号１の通信中基地局制御信号用タイムスロットを、通信中基地局制御信号である制御信号Ａ１１０を受信する受信タイムスロットに決定する。このようにして、制御部１２は、最初に、通信中基地局制御信号である制御信号Ａ１１０を送信している、通信中基地局制御信号用タイムスロットの中から、通信中基地局制御信号である制御信号Ａ１１０を受信する受信タイムスロットを、タイムスロット番号１のタイムスロットと決定する。
【００７３】
最後に、制御部１２は、決定した通信中基地局制御信号である制御信号Ａ１１０を受信する受信タイムスロット以外の制御信号用タイムスロットの中から、通信を行っていない非通信中基地局制御信号である制御信号Ｂ１１１を受信する受信タイムスロットを決定する。図２の場合、通信中基地局制御信号である制御信号Ａ１１０を受信する受信タイムスロットであるタイムスロット番号１のタイムスロット以外であるタイムスロット番号９の制御信号用タイムスロットを、通信を行っていない非通信中基地局制御信号である制御信号Ｂ１１１を受信する受信タイムスロットに決定する。
【００７４】
そして、制御部１２は、決定した受信タイムスロットで、制御信号を受信するよう無線部１１に指示をする。無線部１１は、制御信号Ａ１１０を、タイムスロット番号１のタイムスロットで、周波数ｆ１を用いて受信し、制御信号Ｂ１１１を、タイムスロット番号９のタイムスロットで、周波数ｆ２を用いて受信する。
【００７５】
（効果）
このような第１の実施の形態に係る無線通信システム１、無線端末１０、無線基地局２０，３０、制御装置４０及び通信方法によれば、無線部２１，３１が、１フレーム中に含まれる複数の制御信号用タイムスロットを用いて、制御信号Ａ１１０、制御信号Ｂ１１１を送信する。そして、制御部１２が、その複数の制御信号用タイムスロットの中から、制御信号Ａ１１０、制御信号１１１を受信する受信タイムスロットを決定し、無線部１１が、その決定した受信タイムスロットで制御信号Ａ１１０、制御信号Ｂ１１１をそれぞれ受信する。更に、無線部１１は、制御信号用タイムスロット以外の上り通信信号用タイムスロットを用いて、通信信号Ｃ１２０を無線基地局２０に送信する。
【００７６】
そのため、複数の無線基地局２０，３０から、１フレーム中に、複数回、制御信号Ａ１１０、制御信号Ｂ１１１が送信され、無線端末１０は、その中から各無線基地局２０，３０からの制御信号Ａ１１０、制御信号Ｂ１１１を受信する受信タイムスロットをそれぞれ選択して、各無線基地局２０，３０からの制御信号Ａ１１０、制御信号Ｂ１１１を受信することができる。更に、無線端末１０は、通信信号Ｃ１２０を、制御信号用タイムスロット以外の上り通信信号用タイムスロットを用いることにより、送信することができる。
【００７７】
よって、無線端末１０は、ハンドオーバに必要な通信中の無線基地局２０以外の無線基地局３０からの制御信号Ｂ１１１を、１フレーム中に、必ず１回は受信することができる。更に、無線端末１０は、送信電力制御に必要な通信中の無線基地局２０からの制御信号Ａ１１０も受信して、送信電力制御を行うことができ、無線基地局２０へ通信信号を送信できるので、通信容量を劣化させることなく、通信中の無線端末１０と無線基地局２０は、通信を適切に行うことができる。
【００７８】
又、制御部１２は、上り通信信号用タイムスロットと、複数の制御信号用タイムスロットとの時間差に基づいて、無線部１１が、通信信号Ｃ１２０を送信する際の送信電力制御の基準となる制御信号用タイムスロットと、上り通信信号用タイムスロットとの時間差が最も小さくなるように、受信タイムスロットを決定することができる。そのため、無線部１１が、通信信号Ｃ１２０を送信する際の送信電力制御の効果が大きくなるように、受信タイムスロットを決定することができる。特に、本実施形態では、制御部１２は、タイムスロット番号を用いて、上り通信信号用タイムスロットと、制御信号用タイムスロットとの時間差がどうなっているかを判断し、受信タイムスロットを決定することにより、簡単に受信タイムスロットを決定することができる。
【００７９】
更に、制御部１２は、少なくとも１つの通信中基地局制御信号用タイムスロットのタイムスロット番号が、上り通信信号用タイムスロットのタイムスロット番号よりも小さい場合、即ち、少なくとも１つの通信中基地局制御信号用タイムスロットが、上り通信信号用タイムスロットよりも早い場合には、上り通信信号用タイムスロットよりも早い通信中基地局制御信号用タイムスロットの中から、通信中基地局制御信号用タイムスロットと上り通信信号用タイムスロットとの時間差が最も小さい通信中制御信号用タイムスロットであるタイムスロット番号１のタイムスロットを、通信中基地局制御信号である制御信号Ａ１１０を受信する受信タイムスロットとして決定するので、無線部１１が、通信信号Ｃ１２０を送信する際の送信電力制御の基準となるタイムスロット番号１の制御信号用タイムスロットと、タイムスロット番号５の上り通信信号用タイムスロットとの時間差を最も小さくでき、通信信号Ｃ１２０を送信する際の送信電力制御の効果を大きくすることができる。
【００８０】
一方、制御部１２は、全ての通信中基地局制御信号用タイムスロットのタイムスロット番号が、上り通信信号用タイムスロットのタイムスロット番号よりも大きい場合、即ち、全ての通信中基地局制御信号用タイムスロットが、上り通信信号用タイムスロットよりも遅い場合には、その上り通信信号用タイムスロットよりも遅い非通信中基地局制御信号用タイムスロットの中で、通信中基地局制御信号用タイムスロットと上り通信信号用タイムスロットとの時間差が最も大きい通信中制御信号用タイムスロットを、通信中基地局制御信号を受信する受信タイムスロットとして決定する。そのため、無線部１１が、通信信号Ｃ１２０を送信した後、次の通信信号Ｃ１２０を送信する際の送信電力制御の基準となる制御信号用タイムスロットを、次の通信信号Ｃ１２０を送信するための上り通信信号用タイムスロットに近づけることができる。よって、無線部１１が、通信信号Ｃ１２０を送信する際の送信電力制御の基準となる制御信号用タイムスロットと、上り通信信号用タイムスロットとの時間差を最も小さくでき、通信信号Ｃ１２０を送信する際の送信電力制御の効果を大きくすることができる。
【００８１】
又、制御部４１が、制御信号用タイムスロットを決定し、無線部２１，３１は、制御部４１が決定した制御信号用タイムスロットで、制御信号Ａ１１０、制御信号１１１を送信するため、無線基地局２０，３０は、その時の通信の状況等に応じて臨機応変に送信するタイミングを変更して、制御信号Ａ１１０、制御信号１１１を送信することができる。更に、制御部４１は、無線基地局２０，３０が、１フレーム中に２回、制御信号を送信できるように、１フレーム中に含まれる２つのタイムスロットを、制御信号用タイムスロットとして決定し、かつ、無線基地局２０と無線基地局３０とが、同じタイムスロットで、制御信号を送信できるように、制御信号用タイムスロットを決定する。そのため、無線通信システム１は、制御信号Ａ１１０、制御信号Ｂ１１１の送信のために占有されるタイムスロットを、２つに抑えることができ、多くのタイムスロットを通信信号の送受信のために利用することができる。よって、無線通信システム１は、特に、無線基地局２０，３０が多数存在し、無線回線を設定するために必要な周波数が多く必要な場合に有効である。
【００８２】
［第２の実施の形態］
次に、本発明に係る第２の実施の形態について説明する。本実施形態に係る無線通信システム１、無線端末１０、無線基地局２０，３０、制御装置４０、通信方法は、無線端末１０の制御部１２が異なり、その制御部１２が行う受信タイムスロットの決定方法が異なる以外は、第１の実施の形態と実質的に同様である。
【００８３】
（制御信号の受信方法）
無線端末１０の制御部１２は、第１の実施の形態と同様に、無線部１１が通信信号を送信する際の送信電力制御の基準となる制御信号用タイムスロットと、上り通信信号用タイムスロットとの時間差が最も小さくなるように、受信タイムスロットを決定する。
【００８４】
本実施形態では、制御部１２は、最初に、無線端末１０が通信を行っていない無線基地局３０からの非通信中基地局制御信号である制御信号Ｂ１１１を送信している、非通信中基地局制御信号用タイムスロットであるタイムスロット番号１と、タイムスロット番号９のタイムスロットの中から、非通信中基地局制御信号である制御信号Ｂ１１１を受信する受信タイムスロットを決定する。
【００８５】
具体的には、制御部１２は、図４に示す手順に従い、受信タイムスロットを決定する。図４は、本発明の第２の実施の形態に係る受信タイムスロット決定方法の手順を示すフロー図である。まず、制御部１２は、制御信号Ｂ１１１を送信する非通信中基地局制御信号用タイムスロットのタイムスロット番号の少なくとも１つが、無線部１１が、通信信号Ｃ１２０を送信する上り通信信号用タイムスロットのタイムスロット番号よりも、大きいか否かを判断する（Ｓ２０１）。これにより、制御部１２は、少なくとも１つの非通信中基地局制御信号用タイムスロットが、上り通信信号用タイムスロットよりも遅いか否かを判断できる。
【００８６】
制御部１２は、ステップ（Ｓ２０１）において、制御信号Ｂ１１１を送信する非通信中基地局制御信号用タイムスロットのタイムスロット番号の少なくとも１つが、通信信号Ｃ１２０を送信する上り通信信号用タイムスロットのタイムスロット番号よりも小さい場合、通信信号Ｃ１２０を送信する上り通信信号用タイムスロットのタイムスロット番号よりも大きい制御信号Ｂ１１１を送信する非通信中基地局制御信号用タイムスロットのタイムスロット番号のうち、最も小さいタイムスロット番号の非通信中基地局制御信号用タイムスロットを、非通信中基地局制御信号を受信する受信タイムスロットに決定する（Ｓ２０２）。
【００８７】
これにより、制御部１２は、上り通信信号用タイムスロットよりも遅い非通信中基地局制御信号用タイムスロットの中から、通信中基地局御信号用タイムスロットと上り通信信号用タイムスロットとの時間差が最も小さい非通信中基地局制御信号用タイムスロットを、非通信中基地局制御信号を受信する受信タイムスロットに決定できる。
【００８８】
一方、制御部１２は、ステップ（Ｓ２０１）において、制御信号Ｂ１１１を送信する非通信中基地局制御信号用タイムスロットのタイムスロット番号の全てが、通信信号Ｃ１２０を送信する上り通信信号用タイムスロットのタイムスロット番号よりも小さい場合、制御信号Ｂ１１１を送信する非通信中基地局制御信号用タイムスロットのタイムスロット番号のうち、最も小さいタイムスロット番号の非通信中基地局制御信号用タイムスロットを、非通信中基地局制御信号を受信する受信タイムスロットに決定する（Ｓ２０３）。これにより、制御部１２は、非通信中基地局御信号用タイムスロットと上り通信信号用タイムスロットとの時間差が最も大きい通信中基地局制御信号用タイムスロットを、非通信中基地局制御信号を受信する受信タイムスロットに決定できる。
【００８９】
図２の場合、通信信号Ｃ１２０を送信する上り通信信号用タイムスロットのタイムスロット番号５よりも、制御信号Ｂ１１１を送信する非通信中基地局制御信号用タイムスロットのタイムスロット番号９の方が大きいため、ステップ（Ｓ２０１）における判断の結果、ステップ（Ｓ２０２）に進む。そして、制御部１２は、通信信号Ｃ１２０を送信する上り通信信号用タイムスロットのタイムスロット番号５よりも大きい制御信号Ｂ１１１を送信する非通信中基地局制御信号用タイムスロットのタイムスロット番号のうち、最も小さいタイムスロット番号９の非通信中基地局制御信号用タイムスロットを、非通信中基地局制御信号である制御信号Ｂ１１１を受信する受信タイムスロットに決定する。このようにして、制御部１２は、最初に、非通信中基地局制御信号である制御信号Ｂ１１１を送信している、非通信中基地局制御信号用タイムスロットの中から、非通信中基地局制御信号である制御信号Ｂ１１１を受信する受信タイムスロットを、タイムスロット番号９のタイムスロットと決定する。
【００９０】
最後に、制御部１２は、決定した非通信中基地局制御信号である制御信号Ｂ１１１を受信する受信タイムスロット以外の制御信号用タイムスロットの中から、通信を行っている通信中基地局制御信号である制御信号Ａ１１０を受信する受信タイムスロットを決定する。図２の場合、非通信中基地局制御信号である制御信号Ｂ１１１を受信する受信タイムスロットであるタイムスロット番号９のタイムスロット以外であるタイムスロット番号１の制御信号用タイムスロットを、通信を行っている通信中基地局制御信号である制御信号Ａ１１０を受信する受信タイムスロットに決定する。
【００９１】
そして、制御部１２は、決定した受信タイムスロットで、制御信号を受信するよう無線部１１に指示をする。無線部１１は、制御信号Ａ１１０を、タイムスロット番号１のタイムスロットで、周波数ｆ１を用いて受信し、制御信号Ｂ１１１を、タイムスロット番号９のタイムスロットで、周波数ｆ２を用いて受信する。
【００９２】
（効果）
このような第２の実施の形態に係る無線通信システム１、無線端末１０、無線基地局２０，３０、制御装置４０及び通信方法によれば、少なくとも１つの非通信中基地局制御信号用タイムスロットのタイムスロット番号が、上り通信信号用タイムスロットのタイムスロット番号よりも大きい場合、即ち、少なくとも１つの非通信中基地局制御信号用タイムスロットが、上り通信信号用タイムスロットよりも遅い場合には、上り通信信号用タイムスロットよりも遅い非通信中基地局制御信号用タイムスロットの中から、非通信中基地局制御信号用タイムスロットと上り通信信号用タイムスロットとの時間差が最も小さい非通信中制御信号用タイムスロットを、非通信中基地局制御信号である制御信号Ｂ１１１を受信する受信タイムスロットとして決定する。
【００９３】
そのため、送信電力制御に関係のない非通信中基地局制御信号である制御信号Ｂ１１１を受信する非通信中基地局制御信号用タイムスロットを、無線部１１が、フレーム番号１のフレームで通信信号Ｃ１２０を送信した後、フレーム番号２のフレームで通信信号Ｃ１２０を送信するための上り通信信号用タイムスロットから遠ざけることができる。よって、無線部１１が、フレーム番号２のフレームで通信信号Ｃ１２０を送信するための上り通信信号タイムスロットよりも手前にあって、その上り通信信号用タイムスロットとの時間差が小さいタイムスロットを、送信電力制御の基準となる制御信号Ａ１１０を送信する制御信号用タイムスロットに当てることができ、フレーム番号２のフレームで通信信号Ｃ１２０を送信する際の送信電力制御の効果を大きくすることができる。
【００９４】
一方、全ての非通信中基地局制御信号用タイムスロットのタイムスロット番号が、上り通信信号用タイムスロットのタイムスロット番号よりも小さい場合、即ち、上り通信信号用タイムスロットよりも早い場合には、非通信中基地局制御信号用タイムスロットと上り通信信号用タイムスロットとの時間差が最も大きい非通信中制御信号用タイムスロットが、非通信中基地局制御信号である制御信号Ｂ１１１を受信する受信タイムスロットとして決定される。そのため、送信電力制御に関係のない非通信中基地局制御信号である制御信号Ｂ１１１を受信する非制御信号用タイムスロットを、無線部１１が、これから通信信号Ｃ１２０を送信する通信信号用タイムスロットから遠ざけることができる。よって、無線部１１が、これから通信信号Ｃ１２０を送信するための上り通信信号用タイムスロットよりも手前にあって、その上り通信信号用タイムスロットとの時間差が小さいタイムスロットを、送信電力制御の基準となる制御信号を送信する制御信号用タイムスロットに当てることができ、通信信号Ｃ１２０を送信する際の送信電力制御の効果を大きくすることができる。
【００９５】
［第３の実施の形態］
次に、本発明に係る第３の実施の形態について説明する。本実施形態に係る無線通信システム１、無線端末１０、無線基地局２０，３０、制御装置４０、通信方法は、制御装置４０の制御部４１、無線端末１０の制御部１２が異なり、制御装置４０と、無線基地局２０，３０とが行う制御信号の送信方法と、無線端末１０が行う受信タイムスロットの決定方法が異なる以外は、第１の実施の形態と、実質的に同様である。
【００９６】
（制御装置）
本実施形態では、制御装置４０の制御部４１は、無線端末１０が複数の無線基地局２０，３０からの制御信号を受信する必要があるか否かを判断する判断手段としても機能する。具体的には、制御部４１は、無線基地局２０，３０から、インタフェース４２を介して、無線端末１０からの制御信号の受信品質に関する制御情報等を取得する。ここでは、無線端末１０が、無線基地局２０と通信を行っている場合を例にとって説明する。制御部４１は、現在通信中の無線基地局２０からの制御信号Ａの受信品質が劣化している場合には、ハンドオーバを行う必要があるため、無線端末１０は、無線基地局２０からの制御信号Ａだけでなく、無線基地局３０からの制御信号Ｂを受信する必要がある、即ち、複数の無線基地局２０，３０からの制御信号を受信する必要があると判断する。一方、制御部４１は、無線基地局２０からの制御信号Ａの受信品質が良好な場合には、ハンドオーバを行う必要がないため、無線端末１０は、複数の無線基地局２０，３０からの制御信号を受信する必要はなく、現在、通信中の無線基地局２０からの制御信号Ａの受信だけを行っていればよいと判断する。
【００９７】
そして、制御部４１は、その判断結果に基づいて、複数の無線基地局２０，３０からの制御信号を受信する必要があると判断した場合には、制御信号用タイムスロットとして、１フレーム中に含まれる複数のタイムスロットを決定し、複数の無線基地局２０，３０からの制御信号を受信する必要がないと判断した場合には、制御信号用タイムスロットとして、１フレーム中の１つのタイムスロットを決定する。これにより、制御部４１は、１フレームに含まれる複数の制御信号用タイムスロットを用いた制御信号の送信と、１フレーム中に含まれる１つの制御信号用タイムスロットを用いた制御信号の送信との切り替えを制御することができる。
【００９８】
このようにして、無線基地局２０，３０は、制御装置４０から、制御信号用タイムスロットとして、１フレーム中に含まれる複数のタイムスロットが割り当てられる場合や、１フレーム中の１つのタイムスロットが割り当てられる場合がある。そのため、無線基地局２０，３０の制御部２２，３２は、この制御装置４０からの割り当てに従って、制御信号の送信を無線部２１，３１に指示することにより、１フレームに含まれる複数の制御信号用タイムスロットを用いた制御信号の送信と、１フレーム中に含まれる１つの制御信号用タイムスロットを用いた制御信号の送信とを切り替えることができる。
【００９９】
（制御信号の送信方法）
次に、図２示したように、１フレームが１５個のタイムスロットに分割され、１〜１５までのタイムスロット番号が付与されている場合を例にとって、制御信号の送信方法をより詳細に説明する。制御装置４０の制御部４１は、上記のようにして、無線端末１０が通信を行っていない無線基地局３０からの制御信号Ｂを受信する必要がないと判断した場合、制御信号用タイムスロットとして、１フレーム中の１つのタイムスロットを決定する。ここでは、制御部４１は、タイムスロット番号１のタイムスロットを、制御信号用タイムスロットに決定する。そして、無線基地局２０，３０の無線部２２，３２がそれぞれ、タイムスロット番号１のタイムスロットで、制御信号Ａ、制御信号Ｂを送信する。
【０１００】
一方、制御装置４０の制御部４１は、無線端末１０が通信を行っていない無線基地局３０からの制御信号Ｂを受信する必要があると判断した場合、制御信号用タイムスロットとして、１フレーム中の複数のタイムスロットを決定する。ここでは、制御部４１は、既に、制御信号用タイムスロットとして決定されているタイムスロット番号１のタイムスロットに加えて、もう１つのタイムスロットを、制御信号用タイムスロットとして決定する。又、制御部４１は、無線基地局２０が送信する制御信号Ａを送信する制御信号用タイムスロットを決定し、制御信号Ａを２回送信するようにする。例えば、制御部４１は、タイムスロット番号１のタイムスロットに加えて、タイムスロット番号９のタイムスロットを、制御信号Ａを送信する制御信号用タイムスロットに決定する。そして、無線基地局２０の無線部２２は、タイムスロット番号１、タイムスロット番号９のタイムスロットで、制御信号Ａを２回送信し、無線基地局３０の無線部３２は、タイムスロット番号１で制御信号Ｂを、１回送信する。
【０１０１】
尚、制御部４１は、無線基地局３０が送信する制御信号Ｂを送信する制御信号用タイムスロットを決定し、制御信号Ｂを２回送信するようにしてもよいし、無線基地局２０が送信する制御信号Ａを送信する制御信号用タイムスロットと、無線基地局３０が送信する制御信号Ｂを送信する制御信号用タイムスロットの両方を決定し、制御信号Ａ、制御信号Ｂの両方を２回送信するようにしてもよい。
【０１０２】
又、制御部４１は、制御信号用タイムスロットを、上り通信信号用タイムスロットと、各タイムスロットとの時間差に基づいて決定するようにしてもよい。その場合、制御部４１は、上り通信信号用タイムスロットと、制御信号用タイムスロットとの時間差が小さくなるように、制御信号用タイムスロットを決定する。ここでは、制御部４１は、タイムスロット番号を用いて、上り通信信号用タイムスロットと、各タイムスロットとの時間差がどうなっているかを判断し、決定する。
【０１０３】
以下、上記したように、制御部４１が、既に制御信号用タイムスロットとして決定されているタイムスロット番号１のタイムスロットに加えて、無線基地局２０が送信する制御信号Ａを送信する制御信号用タイムスロットをもう１つ決定する場合を例にとって説明する。制御部４１は、まず、ある通信信号Ｃを送信するタイムスロットよりも早いタイムスロットを選択する。例えば、ある通信信号Ｃを送信するタイムスロットがタイムスロット番号５であった場合、制御部４１は、タイムスロット番号５よりもタイムスロット番号の小さいタイムスロット選択する。ここでは、タイムスロット番号１〜４のタイムスロットが選択される。
【０１０４】
次に、制御部４１は、選択したタイムスロット番号５よりもタイムスロット番号の小さいタイムスロットの中から、無線基地局２０が制御信号Ａを送信することが可能なタイムスロットであって、かつ、無線端末１０が、無線基地局２０，３０から通信信号Ｄや制御信号Ａ、制御信号Ｂを受信していないタイムスロットを選択する。ここで、無線基地局２０が制御信号Ａを送信することが可能なタイムスロットとは、無線端末１０が無線基地局２０に、他の通信信号Ｃを送信するために用いている上り通信信号用タイムスロット以外のタイムスロットをいう。他の通信信号Ｃがない場合、タイムスロット番号２〜４のタイムスロットが選択される。
【０１０５】
最後に、制御部４１は、選択した無線基地局２０が制御信号Ａを送信することが可能なタイムスロットであって、かつ、無線端末１０が、無線基地局２０，３０から通信信号Ｄや制御信号Ａ、制御信号Ｂを受信していないタイムスロットの中から、最もタイムスロット番号の大きいタイムスロットを、制御信号用タイムスロットに決定する。ここでは、タイムスロット番号４のタイムスロットが選択される。
【０１０６】
これにより、制御部４１は、ある通信信号Ｃを送信する際の送信電力制御の基準となる制御信号Ａの制御信号用タイムスロットを、通信信号Ｃの通信信号用タイムスロットよりも早く、他の通信信号Ｃや制御信号Ａ、制御信号Ｂの送信や受信に使用されていないタイムスロットの中で、通信信号Ｃを送信する上り通信信号用タイムスロットと、制御信号Ａを送信する制御信号用タイムスロットとの時間差が最も小さいタイムスロットに決定できる。
【０１０７】
（無線端末、制御信号の受信方法）
上記のように、制御装置４０が、無線端末１０が通信を行っていない無線基地局３０からの制御信号Ｂを受信する必要がないと判断し、無線基地局２０，３０が、タイムスロット番号１のタイムスロットのみで、即ち、１フレーム中の１つの制御信号用タイムスロットで、制御信号Ａ、制御信号Ｂを送信する場合、無線端末１０の制御部１２は、通信中の無線基地局２０からの制御信号Ａを受信する受信タイムスロットに、タイムスロット番号１の制御信号用タイムスロットを決定する。そして、無線部１１は、タイムスロット番号１の制御信号用タイムスロットで、制御信号Ａを受信する。
【０１０８】
一方、制御装置４０が、無線端末１０が通信を行っていない無線基地局３０からの制御信号Ｂを受信する必要があると判断し、無線基地局２０が、タイムスロット番号１とタイムスロット番号９の２つのタイムスロットで、即ち、１フレーム中の複数の制御信号用タイムスロットで、制御信号Ａを送信し、無線基地局３０が、タイムスロット番号１のタイムスロットのみで、即ち、１フレーム中の１つの制御信号用タイムスロットで、制御信号Ｂを送信する場合、制御信号Ｂが送信される制御信号用タイムスロットは、１つしかないので、無線端末１０の制御部１２は、通信を行っていない無線基地局３０からの制御信号Ｂを受信する受信タイムスロットを、タイムスロット番号１の制御信号用タイムスロットに決定する。そして、制御部１２は、通信中の無線基地局２０からの制御信号Ａを受信する受信タイムスロットを、通信を行っていない無線基地局３０からの制御信号Ｂを受信するタイムスロット番号１以外のタイムスロットである、タイムスロット番号９の制御信号用タイムスロットに決定する。そして、無線部１１は、タイムスロット番号１の制御信号用タイムスロットで、制御信号Ｂを受信し、タイムスロット番号９の制御信号用タイムスロットで、制御信号Ａを受信する。
【０１０９】
（効果）
このような第３の実施の形態に係る無線通信システム１、無線端末１０、無線基地局２０，３０、制御装置４０、通信方法によれば、制御装置４０の制御部４１は、上り通信信号用タイムスロットと、各タイムスロットとの時間差に基づいて、制御信号用タイムスロットを決定するため、無線端末１０の無線部１１が通信信号Ｃを送信する際の送信電力制御の基準となる制御信号用タイムスロットと、上り通信信号用タイムスロットとの時間差が最も小さくなるように、制御信号用タイムスロットを決定することができる。その結果、無線部１１が、通信信号Ｃを送信する際の送信電力制御の効果が大きくすることができる。
【０１１０】
制御部４１は、無線端末１０が複数の無線基地局２０，３０から制御信号を受信する必要があるか否かを判断し、その判断結果に基づいて、無線基地局２０，３０の無線部２１、３１が、１フレーム中に含まれる複数の制御信号用タイムスロットを用いた制御信号の送信と、１フレーム中に含まれる１つの制御信号用タイムスロットを用いた制御信号の送信とを切り替える。そのため、無線部２１，３１は、無線端末１０がハンドオーバを行う際等、無線端末１０が複数の無線基地局２０，３０から制御信号を受信する必要がある場合にだけ、１フレーム中に含まれる複数の制御信号用タイムスロットを用いた制御信号の送信を行い、それ以外の場合には、１フレーム中に含まれる１つの制御信号用タイムスロットを用いた制御信号の送信を行うことができる。よって、無駄な制御信号の送信を回避することができ、タイムスロットを通信に有効利用することができる。
【０１１１】
［第４の実施の形態］
次に、本発明に係る第４の実施の形態について説明する。本実施形態に係る無線通信システム１、無線端末１０、無線基地局２０，３０、制御装置４０は、無線端末１０の制御部１２、制御装置４０の制御部４１が異なる以外は、第１の実施の形態と、実質的に同様である。本実施形態では、無線端末１０が、無線基地局２０と通信を行っている場合を例にとって説明する。
【０１１２】
（制御装置）
本実施形態では、制御装置４０の制御部４１は、通信信号用タイムスロットに、無線端末１０が通信を行っていない無線基地局３０からの非通信中基地局制御信号である制御信号Ｂの送信に用いられる非通信中基地局制御信号用タイムスロット以外のタイムスロットを、優先的に割り当てる割り当て手段として機能する。又、制御部４１は、通信信号用タイムスロットに、非通信中基地局制御信号用タイムスロット以外のタイムスロットを割り当てることができない場合には、通信信号用タイムスロットとして、非通信中基地局制御信号用タイムスロットを、割り当てる。そして、無線端末１０が非通信中基地局制御信号である制御信号Ｂを受信する必要が生じた際に、通信信号用タイムスロットを、非通信中基地局制御信号用タイムスロット以外のタイムスロットに切り替える。
【０１１３】
制御部４１は、非通信中基地局制御信号用タイムスロットが、通信信号用タイムスロットとして割り当てられた無線端末１０のチャネルを、非通信中基地局制御信号用タイムスロット以外のタイムスロットに変更したり、非通信中基地局制御信号用タイムスロットが、通信信号用タイムスロットとして割り当てられた無線端末１０のチャネルを、非通信中基地局制御信号用タイムスロット以外のタイムスロットが、通信信号用タイムスロットとして割り当てられている他の無線端末のチャネルと交換したりすることによって、通信信号用タイムスロットを、非通信中基地局制御信号用タイムスロット以外のタイムスロットに切り替えることができる。
【０１１４】
尚、制御信号用タイムスロットは、各フレームにおいて、無線基地局２０，３０間で異なるタイムスロットが予め設定されている。そのため、制御装置４０は、予め設定された制御信号用タイムスロットで制御信号を送信するよう、無線基地局２０，３０を制御する。よって、無線端末１０の制御部１２も、予め設定された無線基地局２０，３０間で異なる制御信号用タイムスロットで、無線基地局２０，３０それぞれからの制御信号Ａ、制御信号Ｂを受信するよう、無線部１１を制御する。
【０１１５】
（通信方法）
次に、本実施形態に係る通信方法を、図５を用いて説明する。図５は、本発明の第４の実施の形態に係る通信方法の手順を示すフロー図である。まず、制御装置４０の制御部４１は、無線基地局２０にタイムスロット番号１で、制御信号Ａを送信するよう指示をし、無線基地局２０は、タイムスロット番号１で、制御信号Ａを送信する（Ｓ３０１）。次に、制御装置４０の制御部４１は、無線基地局３０にタイムスロット番号２で、制御信号Ｂを送信するよう指示をし、無線基地局３０は、タイムスロット番号２で、制御信号Ｂを送信する（Ｓ３０２）。
【０１１６】
その後、無線端末１０が、無線基地局２０と通信を行うための通信信号用タイムスロットの割り当てを要求した場合、即ち、無線端末１０が、無線端末１０と無線基地局２０との間のチャネルの割り当てを要求する通信チャネル割り当て要求を、無線基地局２０を介して、制御装置４０に送信した場合（Ｓ３０３）、制御装置４０の制御部４１は、非通信中基地局制御信号用タイムスロット以外のタイムスロット、即ち、無線基地局３０が制御信号Ｂを送信するタイムスロット番号２以外のタイムスロット番号のタイムスロットを、無線端末１０の通信信号用タイムスロットに割り当てることができるか否か、即ち、無線端末１０と無線基地局２０とのチャネルに割り当てることができるか否かを判断する（Ｓ３０４）。尚、ステップ（Ｓ３０３）において、端末装置１０からの通信チャネル割り当て要求がなければ、制御装置４０は、通信チャネル割り当て要求があるまで待機する。
【０１１７】
ステップ（Ｓ３０４）において、制御装置４０の制御部４１は、非通信中基地局制御信号用タイムスロット以外のタイムスロットであるタイムスロット番号２以外のタイムスロット番号のタイムスロットを、無線端末１０の通信信号用タイムスロットに割り当てることができる場合には、無線端末１０の通信信号用タイムスロットに、タイムスロット番号２以外のタイムスロット番号のタイムスロットを割り当てる（Ｓ３０５）。これにより、無線端末１０と無線基地局２０とは、通信を開始する。そして、無線端末１０は、無線基地局３０からの制御信号Ｂを受信する必要が生じた場合には（Ｓ３０６）、非通信中基地局制御信号用タイムスロットであるタイムスロット番号２で、無線基地局３０が送信する制御信号Ｂを、周波数ｆ２を用いて受信する（Ｓ３１２）。尚、ステップ（Ｓ３０６）で、無線端末１０は、無線基地局３０からの制御信号Ｂを受信する必要が生じない間は、そのまま待機する。
【０１１８】
一方、ステップ（Ｓ３０４）において、制御装置４０の制御部４１は、非通信中基地局制御信号用タイムスロット以外のタイムスロットであるタイムスロット番号２以外のタイムスロット番号のタイムスロットを、無線端末１０の通信信号用タイムスロットに割り当てることができない場合には、無線端末１０の通信信号用タイムスロットに、タイムスロット番号２のタイムスロットを割り当てる（Ｓ３０７）。これにより、無線端末１０と無線基地局２０とは、通信を開始する。
【０１１９】
その後、無線端末１０は、無線基地局３０からの制御信号Ｂを受信する必要が生じた場合には（Ｓ３０８）、制御部４１は、非通信中基地局制御信号用タイムスロットであるタイムスロット番号２のタイムスロットが、通信信号用タイムスロットとして割り当てられた無線端末１０のチャネルを、タイムスロット番号２以外のタイムスロットに割り当てて、変更することができるか否かを判断する（Ｓ３０９）。尚、ステップ（Ｓ３０８）において、無線端末１０は、無線基地局３０からの制御信号Ｂを受信する必要が生じない間は、そのまま待機する。
【０１２０】
ステップ（Ｓ３０９）において、制御部４１は、タイムスロット番号２のタイムスロットが、通信信号用タイムスロットとして割り当てられた無線端末１０のチャネルを、タイムスロット番号２以外のタイムスロットに変更できる場合は、タイムスロット番号２のタイムスロットが、通信信号用タイムスロットとして割り当てられた無線端末１０のチャネルを、タイムスロット番号２以外のタイムスロットが通信信号用タイムスロットとして割り当てられたチャネルに変更する（Ｓ３１１）。そして、無線端末１０は、タイムスロット番号２で、無線基地局３０が送信する制御信号Ｂを、周波数ｆ２を用いて受信する（Ｓ３１２）。
【０１２１】
一方、ステップ（Ｓ３０９）において、制御部４１は、タイムスロット番号２のタイムスロットが、通信信号用タイムスロットとして割り当てられた無線端末１０のチャネルを、タイムスロット番号２以外のタイムスロットに変更できない場合は、非通信中基地局制御信号用タイムスロットであるタイムスロット番号２のタイムスロットが、通信信号用タイムスロットとして割り当てられた無線端末１０と無線基地局２０との通信で使用しているチャネルを、タイムスロット番号２以外のタイムスロットが、通信信号用タイムスロットとして割り当てられ、通信を行っている他の無線端末のチャネルと交換する（Ｓ３１０）。そして、無線端末１０は、タイムスロット番号２で、無線基地局３０が送信する制御信号Ｂを、周波数ｆ２を用いて受信する（Ｓ３１２）。
【０１２２】
（効果）
このような第４の実施の形態に係る無線通信システム１、無線端末１０、無線基地局２０，３０、制御装置４０、通信方法によれば、無線基地局２０と無線基地局３０とが、それぞれ異なるタイムスロットで、制御信号Ａ、制御信号Ｂを送信する場合に、制御装置４０の制御部４１が、通信信号用タイムスロットに、無線端末１０が通信を行っていない無線基地局３０からの非通信中基地局制御信号である制御信号Ｂの送信に用いられている非通信中基地局制御信号用タイムスロット以外のタイムスロットを、優先的に割り当てることができる。
【０１２３】
そのため、非通信中基地局制御信号用タイムスロットが、通信信号用タイムスロットに、割り当てられることをできるだけ防止でき、非通信中基地局制御信号用タイムスロットを非通信中基地局制御信号である制御信号Ｂの送信のために確保することができる。よって、無線端末１０は、ハンドオーバに必要な通信を行っていない無線基地局３０からの制御信号Ｂを受信することができる。更に、通信中の無線端末１０と無線基地局２０は、非通信中基地局制御信号用タイムスロット以外の通信信号用タイムスロットを用いて、通信信号Ｃの送受信を行うことができ、通信を適切に行うことができる。
【０１２４】
又、制御部４１は、通信信号用タイムスロットに、非通信中基地局制御信号用タイムスロット以外のタイムスロットを割り当てることができない場合であっても、通信信号用タイムスロットに、非通信中基地局制御信号用タイムスロットが割り当てるため、その通信信号用タイムスロットを用いて、無線端末１０と無線基地局２０とは、通信を開始することができる。そして、無線端末１０が非通信中基地局制御信号である制御信号Ｂを受信する必要が生じた場合には、通信信号用タイムスロットを、非通信中基地局制御信号用タイムスロット以外のタイムスロットに切り替えるため、非通信中基地局制御信号用タイムスロットを、一時的に、非通信中基地局制御信号である制御信号Ｂの送信のために確保することができる。よって、無線端末１０は、ハンドオーバに必要な通信を行っていない無線基地局３０からの制御信号Ｂを受信することができる。
【０１２５】
尚、上記第１〜第４の実施形態において、２つの無線基地局３０，４０を用いたが、これに代えて、複数の周波数を用いて同時に通信を行う１つの無線基地局を用いてもよい。
【０１２６】
【発明の効果】
以上説明したように、本発明によれば、通信中の無線端末と無線基地局とが、通信を適切に行うことができ、無線端末が、通信中の無線基地局以外の無線基地局からの制御信号を受信することができる無線通信システム、無線端末、無線基地局、制御装置及び通信方法を提供することができる。
【図面の簡単な説明】
【図１】本発明の第１の実施の形態に係る無線通信システムの構成を示す説明図である。
【図２】本発明の第１の実施の形態に係る通信方法を説明する説明図である。
【図３】本発明の第１の実施の形態に係る受信タイムスロット決定方法の手順を示すフロー図である。
【図４】本発明の第２の実施の形態に係る受信タイムスロット決定方法の手順を示すフロー図である。
【図５】本発明の第４の実施の形態に係る通信方法の手順を示すフロー図である。
【図６】従来の通信方法を説明する説明図である。
【図７】従来の他の通信方法を説明する説明図である。
【符号の説明】
１  無線通信システム
１０，２１０  無線端末
１１  無線部
１２  制御部
２０，３０，２２０，２３０  無線基地局
２１，３１  無線部
２２，３２  制御部
２３，３３  インタフェース
４０  制御装置
４１  制御部
４２  インタフェース
５０  交換機
６０  ＩＭＴ―２０００ネットワーク
１１０，３１０  制御信号Ａ
１１１，３１１  制御信号Ｂ
１２０，３２０  通信信号Ｃ
１３０，３３０  通信信号Ｄ
【図１】
0003999567.tif 000002
【図２】
0003999567.tif 000003
【図３】
0003999567.tif 000004
【図４】
0003999567.tif 000005
【図５】
0003999567.tif 000006
【図６】
0003999567.tif 000007
【図７】
0003999567.tif 000008